(57)【要約】【課題】より安定して均一な記録状態となる記録パワーの制御を具現してランニングＯＰＣを実行し得る光ディスク記録媒体用記録装置を提供すること。【解決手段】この装置では、光ディスク記録媒体のトラックＴに対するレーザ光の照射により得られるビームスポットＳからの反射光を受光する光ヘッドにあって、各受光素子８ａ〜８ｄを反射光スポットＳ′の投射形成時にトラック接線方向に２分割（領域Ｅ１，Ｅ２に対応）配置すると共に、トラック接線方向と同一面上で９０度垂直なディスク内外周方向にも２分割（領域Ｅ３，Ｅ４に対応）配置して合計４分割配置した構造とし、各受光素子８ａ〜８ｄからビーム進行方向に対して先方側のもの（８ａ，８ｂ）の和によるメインビーム先方側検出信号（ａ＋ｂ），後方側のもの（８ｃ，８ｄ）の和によるメインビーム後方側検出信号（ｃ＋ｄ）を記録状態の検出指数の演算に供した上で記録状態を制御する。【選択図】　　　図１
2004086987.tif 000002
【特許請求の範囲】
【請求項１】
光ディスク記録媒体が持つ情報を記録可能なトラックに対してレーザ光を用いて該情報を記録する際、該情報の記録状態を検出した結果に応じて該レーザ光による記録パワーを制御することで該記録状態を制御するランニングＯＰＣ（Ｒｕｎｎｉｎｇ　Ｏｐｔｉｍｕｍ　Ｐｏｗｅｒ　Ｃｏｎｔｒｏｌ）を行う光ディスク記録媒体用記録方法において、前記情報の記録時に前記トラックから得られる前記レーザ光によるメインビームの反射光を該トラックの接線方向に複数分割受光して得られる複数種類の反射光量レベルを利用して前記記録状態の制御に供することを特徴とする光ディスク記録媒体用記録方法。
【請求項２】
請求項１記載の光ディスク記録媒体用記録方法において、前記複数種類の反射光量レベルを利用して前記記録状態の検出指数の演算に供することを特徴とする光ディスク記録媒体用記録方法。
【請求項３】
請求項１又は２記載の光ディスク記録媒体用記録方法において、前記複数種類の反射光量レベルは、少なくともメインビーム先方側記録時ピット反射光レベルとメインビーム後方側記録時ピット反射光レベルとを含むことを特徴とする光ディスク記録媒体用記録方法。
【請求項４】
請求項３記載の光ディスク記録媒体用記録方法において、前記記録状態の制御には、前記メインビーム先方側記録時ピット反射光レベル，前記メインビーム後方側記録時ピット反射光レベル，及び前記記録パワーを用いることを特徴とする光ディスク記録媒体用記録方法。
【請求項５】
請求項３記載の光ディスク記録媒体用記録方法において、前記記録状態の制御には、前記メインビーム先方側記録時ピット反射光レベル，前記メインビーム後方側記録時ピット反射光レベル，前記記録パワー，及び記録速度を用いることを特徴とする光ディスク記録媒体用記録方法。
【請求項６】
請求項３記載の光ディスク記録媒体用記録方法において、前記記録状態の制御には、前記メインビーム先方側記録時ピット反射光レベル，前記メインビーム後方側記録時ピット反射光レベル，前記記録パワー，及び記録速度の測定により記録動作条件下の固有値として得られる補正係数を用いることを特徴とする光ディスク記録媒体用記録方法。
【請求項７】
請求項３記載の光ディスク記録媒体用記録方法において、前記記録状態の検出指数の演算には、前記メインビーム先方側記録時ピット反射光レベル及び前記メインビーム後方側記録時ピット反射光レベルを用いることを特徴とする光ディスク記録媒体用記録方法。
【請求項８】
請求項３記載の光ディスク記録媒体用記録方法において、前記記録状態の検出指数の演算には、前記メインビーム先方側記録時ピット反射光レベル，前記メインビーム後方側記録時ピット反射光レベル，及び前記記録パワーを用いることを特徴とする光ディスク記録媒体用記録方法。
【請求項９】
請求項３記載の光ディスク記録媒体用記録方法において、前記記録状態の検出指数の演算には、前記メインビーム先方側記録時ピット反射光レベル，前記メインビーム後方側記録時ピット反射光レベル，前記記録パワー，及び記録速度を用いることを特徴とする光ディスク記録媒体用記録方法。
【請求項１０】
請求項９記載の光ディスク記録媒体用記録方法において、前記記録状態の検出指数の演算には、前記メインビーム先方側記録時ピット反射光レベル，前記メインビーム後方側記録時ピット反射光レベル，前記記録パワー，及び記録速度の測定により記録動作条件下の固有値として得られる補正係数を用いることを特徴とする光ディスク記録媒体用記録方法。
【請求項１１】
請求項７記載の光ディスク記録媒体用記録方法において、前記記録状態の検出指数は、前記メインビーム先方側記録時ピット反射光レベル及び前記メインビーム後方側記録時ピット反射光レベルの比の値で得られることを特徴とする光ディスク記録媒体用記録方法。
【請求項１２】
請求項８記載の光ディスク記録媒体用記録方法において、前記記録状態の検出指数は、前記メインビーム先方側記録時ピット反射光レベル及び前記メインビーム後方側記録時ピット反射光レベルの比の値に対する前記記録パワーに関しての前記ランニングＯＰＣの感度係数でべき乗した値との比の値で得られることを特徴とする光ディスク記録媒体用記録方法。
【請求項１３】
請求項１０記載の光ディスク記録媒体用記録方法において、前記記録状態の検出指数は、前記メインビーム先方側記録時ピット反射光レベル及び前記メインビーム後方側記録時ピット反射光レベルの比の値に対する前記記録パワーに関しての前記ランニングＯＰＣの感度係数でべき乗した値と前記補正係数とを演算した値との比の値で得られることを特徴とする光ディスク記録媒体用記録方法。
【請求項１４】
請求項１１〜１３の何れか一つに記載の光ディスク記録媒体用記録方法において、前記記録状態の検出指数の算出演算式中の前記ランニングＯＰＣの感度係数の値を前記光ディスク記録媒体毎に記録条件により最適な値に微調整しておくことで該ランニングＯＰＣの効き具合を該光ディスク記録媒体のそれぞれについて最適な状態に微調整可能としたことを特徴とする光ディスク記録媒体用記録方法。
【請求項１５】
請求項７〜１４の何れか一つに記載の光ディスク記録媒体用記録方法において、前記トラックの所定の試し書き領域ＰＣＡ（Ｐｏｗｅｒ　Ｃａｌｉｂｒａｔｉｏｎ　Ａｒｅａ）に最適パワーで試し書きする際に前記記録状態の検出指数の演算値を該記録状態の検出指数目標値とすることを特徴とする光ディスク記録媒体用記録方法。
【請求項１６】
請求項７〜１５の何れか一つに記載の光ディスク記録媒体用記録方法において、前記トラックの情報記録領域への実記録の前に最適記録パワーを校正するためのＯＰＣ動作（Ｏｐｔｉｍｕｍ　Ｐｏｗｅｒ　Ｃａｌｉｂｒａｔｉｏｎ）時に前記記録状態の検出指数の演算値を該記録状態の検出指数目標値とすることを特徴とする光ディスク記録媒体用記録方法。
【請求項１７】
請求項７〜１６の何れか一つに記載の光ディスク記録媒体用記録方法において、前記トラックの情報記録領域への実記録の開始直後に前記記録状態の検出指数の演算値を該記録状態の検出指数目標値とすることを特徴とする光ディスク記録媒体用記録方法。
【請求項１８】
請求項１５〜１７の何れか一つに記載の光ディスク記録媒体用記録方法において、前記トラックの情報記録領域への実記録動作時に前記記録状態の検出指数を測定した結果と該記録状態の検出指数目標値とにおける差値が最小になるように前記記録パワーを制御することを特徴とする光ディスク記録媒体用記録方法。
【請求項１９】
請求項７〜１８の何れか一つに記載の光ディスク記録媒体用記録方法において、前記記録状態の検出指数の演算値として、前記光ディスク記録媒体の少なくとも１周分以上測定して平均化算出したものの平均値を使用することを特徴とする光ディスク記録媒体用記録方法。
【請求項２０】
請求項１９記載の光ディスク記録媒体用記録方法において、前記記録状態の検出指数の演算で前記平均値を算出するために要するパラメータとして、前記光ディスク記録媒体の少なくとも１周分以上測定して平均化算出したものの値を使用した上で該記録状態の検出指数の平均値の算出に供することを特徴とする光ディスク記録媒体用記録方法。
【請求項２１】
光ディスク記録媒体が持つ情報を記録可能なトラックに対して光ヘッドに備えられる照射用発光素子から照射されたレーザ光を用いて該情報を記録可能であると共に、該情報の記録状態を検出した結果に応じて該レーザ光による記録パワーを制御することで該記録状態を制御するランニングＯＰＣ（Ｒｕｎｎｉｎｇ　Ｏｐｔｉｍｕｍ　Ｐｏｗｅｒ　Ｃｏｎｔｒｏｌ）機構を備えた光ディスク記録媒体用記録装置において、前記ランニングＯＰＣ機構は、前記情報の記録時に前記トラックから得られる前記レーザ光によるメインビームの反射光を該トラックの接線方向に複数分割された複数種類の反射光量レベルとして受光して前記記録状態の制御に供するために前記光ヘッドに配備された複数の受光素子を含むことを特徴とする光ディスク記録媒体用記録装置。
【請求項２２】
請求項２１記載の光ディスク記録媒体用記録装置において、前記ランニングＯＰＣ機構は、前記複数種類の反射光量レベルを利用して前記記録状態の検出指数を演算すると共に、前記記録パワー及び再生パワーを制御するＯＰＣ制御回路を含み、更に、前記複数の受光素子は、前記複数種類の反射光量レベルとして、少なくともメインビーム先方側記録時ピット反射光レベルとメインビーム後方側記録時ピット反射光レベルとを取得することを特徴とする光ディスク記録媒体用記録装置。
【請求項２３】
請求項２２記載の光ディスク記録媒体用記録装置において、前記ランニングＯＰＣ機構は、前記記録状態の制御に際して、前記メインビーム先方側記録時ピット反射光レベル，前記メインビーム後方側記録時ピット反射光レベル，及び前記記録パワーを用いるか、該メインビーム先方側記録時ピット反射光レベル，該メインビーム後方側記録時ピット反射光レベル，該記録パワー，及び記録速度を用いるか、或いは該メインビーム先方側記録時ピット反射光レベル，該メインビーム後方側記録時ピット反射光レベル，該記録パワー，及び該記録速度の測定により記録動作条件下の固有値として得られる補正係数を用いることを特徴とする光ディスク記録媒体用記録装置。
【請求項２４】
請求項２２又は２３記載の光ディスク記録媒体用記録装置において、前記ランニングＯＰＣ機構は、前記記録状態の検出指数の演算に際して、前記メインビーム先方側記録時ピット反射光レベル及び前記メインビーム後方側記録時ピット反射光レベルを用いるか、該メインビーム先方側記録時ピット反射光レベル，該メインビーム後方側記録時ピット反射光レベル，及び前記記録パワーを用いるか、該メインビーム先方側記録時ピット反射光レベル，該メインビーム後方側記録時ピット反射光レベル，該記録パワー，及び記録速度を用いるか、或いは該メインビーム先方側記録時ピット反射光レベル，該メインビーム後方側記録時ピット反射光レベル，該記録パワー，及び該記録速度の測定により記録動作条件下の固有値として得られる補正係数を用いることを特徴とする光ディスク記録媒体用記録装置。
【請求項２５】
請求項２４記載の光ディスク記録媒体用記録装置において、前記ランニングＯＰＣ機構は、前記記録状態の検出指数の演算を、前記メインビーム先方側記録時ピット反射光レベル及び前記メインビーム後方側記録時ピット反射光レベルの比の値で得るか、該メインビーム先方側記録時ピット反射光レベル及び該メインビーム後方側記録時ピット反射光レベルの比の値に対する前記記録パワーに関しての前記ランニングＯＰＣの感度係数でべき乗した値との比の値で得るか、或いは該メインビーム先方側記録時ピット反射光レベル及び該メインビーム後方側記録時ピット反射光レベルの比の値に対する該記録パワーに関しての該ランニングＯＰＣの感度係数でべき乗した値と前記補正係数とを演算した値との比の値で得ることを特徴とする光ディスク記録媒体用記録装置。
【請求項２６】
請求項２５記載の光ディスク記録媒体用記録装置において、前記ランニングＯＰＣ機構は、前記記録状態の検出指数の算出演算式中の前記ランニングＯＰＣの感度係数の値を前記光ディスク記録媒体毎に記録条件により最適な値に微調整しておくことで該ランニングＯＰＣの効き具合を該光ディスク記録媒体のそれぞれについて最適な状態に微調整可能としたことを特徴とする光ディスク記録媒体用記録装置。
【請求項２７】
請求項２２〜２６の何れか一つに記載の光ディスク記録媒体用記録装置において、前記ランニングＯＰＣ機構は、前記記録状態の検出指数の演算値を前記トラックの所定の試し書き領域ＰＣＡ（Ｐｏｗｅｒ　Ｃａｌｉｂｒａｔｉｏｎ　Ａｒｅａ）に最適パワーで試し書きする際に該記録状態の検出指数目標値とすることを特徴とする光ディスク記録媒体用記録装置。
【請求項２８】
請求項２２〜２７の何れか一つに記載の光ディスク記録媒体用記録装置において、前記ランニングＯＰＣ機構は、前記トラックの情報記録領域への実記録の前に最適記録パワーを校正するためのＯＰＣ（ＯｐｔｉｍｕｍＰｏｗｅｒ　Ｃａｌｉｂｒａｔｉｏｎ）動作時に前記記録状態の検出指数の演算値を該記録状態の検出指数目標値とすることを特徴とする光ディスク記録媒体用記録装置。
【請求項２９】
請求項２２〜２８の何れか一つに記載の光ディスク記録媒体用記録装置において、前記ランニングＯＰＣ機構は、前記トラックの情報記録領域への実記録の開始直後に前記記録状態の検出指数の演算値を該記録状態の検出指数目標値とすることを特徴とする光ディスク記録媒体用記録装置。
【請求項３０】
請求項２２〜２９の何れか一つに記載の光ディスク記録媒体用記録装置において、前記ランニングＯＰＣ機構は、前記トラックの情報記録領域への実記録動作時に前記記録状態の検出指数を測定した結果と該記録状態の検出指数目標値とにおける差値が最小になるように前記記録パワーを制御することを特徴とする光ディスク記録媒体用記録装置。
【請求項３１】
請求項２２〜３０の何れか一つに記載の光ディスク記録媒体用記録装置において、前記ランニングＯＰＣ機構は、前記記録状態の検出指数の演算値として、前記光ディスク記録媒体の少なくとも１周分以上測定して平均化算出したものの平均値を使用することを特徴とする光ディスク記録媒体用記録装置。
【請求項３２】
請求項３１記載の光ディスク記録媒体用記録装置において、前記ランニングＯＰＣ機構は、前記記録状態の検出指数の演算で前記平均値を算出するために要するパラメータとして、前記光ディスク記録媒体の少なくとも１周分以上測定して平均化算出したものの値を使用した上で該記録状態の検出指数の平均値の算出に供することを特徴とする光ディスク記録媒体用記録装置。
【発明の詳細な説明】
【０００１】
【発明の属する技術分野】
本発明は、主として光ディスク記録媒体が持つ情報を記録可能なトラックに対して情報を記録するときに情報の記録状態を検出した結果に応じて記録パワーを制御することで記録状態を制御するランニングＯＰＣ（Ｒｕｎｎｉｎｇ　Ｏｐｔｉｍｕｍ　Ｐｏｗｅｒ　Ｃｏｎｔｒｏｌ）を行う光ディスク記録媒体用記録方法及び記録装置に関する。
【０００２】
【従来の技術】
従来、光ディスク記録媒体における情報を記録可能なトラックに対する情報の記録状態を示すパラメータとして、記録波形を再生したＲＦ（Ｒａｄｉｏ　Ｆｒｅｑｕｅｎｃｙ）波形の非対称性を示す「アシンメトリ」と「β」とが知られている。
【０００３】
図１０は、従来の光ディスク記録媒体に対する情報の記録状態を示すパラメータであるβ（％）とジッタとの関係を示したパワーマージン特性である。
【０００４】
ここでは、βが大き過ぎたり、或いは小さ過ぎたりするとジッタの値が閾値を越えて悪化してしまい、閾値以下の許されるジッタの値以下を示すβ（或いはアシンメトリ）の幅（範囲）がパワーマージンとなっていることを示している。
【０００５】
このパワーマージンは、光ディスク記録媒体の種類によって様々であるが、パワーマージンが狭いものを対象にして記録を行う場合、β（或いはアシンメトリ）の変動が大きな問題となるので、ディスク全面において安定して均一なβ（或いはアシンメトリ）の記録状態を得られることが要求されている。近年、光ディスク記録媒体には高倍速記録化が進んできており、このような高倍速記録を行う場合にはより一層パワーマージンが狭くなる傾向があるため、ディスク全面において安定して均一なβ（或いはアシンメトリ）の記録状態がより一層要求されるようになっている。又、近年では更なる高倍速化を実現させるために「Ｚ−ＣＬＶ（Ｚｏｎｅ−Ｃｏｎｓｔａｎｔ　Ｌｉｎｅａｒ　Ｖｅｌｏｃｉｔｙ）記録」や「ＣＡＶ（Ｃｏｎｓｔａｎｔ　Ａｎｇｌｅｒ　Ｖｅｌｏｃｉｔｙ）記録」を行うようにもなっているが、このような場合、ディスク全面において安定して均一なβ（或いはアシンメトリ）の記録状態になるように記録パワーを制御することがことが一段と困難となっている。
【０００６】
こうした背景中にあって、光ディスク記録媒体に対して情報を記録する場合、通常採用されている方法では光ディスク記録媒体の所定の試し書き領域ＰＣＡ（Ｐｏｗｅｒ　Ｃａｌｉｂｒａｔｉｏｎ　Ａｒｅａ）において、情報（データ）の記録領域への実記録の前に最適記録パワーを校正するためのＯＰＣ（Ｏｐｔｉｍｕｍ　Ｐｏｗｅｒ　Ｃａｌｉｂｒａｔｉｏｎ）動作を行い、情報（データ）の記録領域への実記録動作をＯＰＣで求めた最適な記録パワーで固定して行うようになっている。
【０００７】
ところが、こうした通常の方法によれば、光ディスク記録媒体の特性がディスク面内で変動していたり、記録用のレーザ光の光軸に対して光ディスク記録媒体のディスク記録面の機械的な傾きがずれることでディスク面内変動（例えばラジアルＳＫＥＷのディスク面内変動やディスク反りが挙げられる）が起こったり、ＯＰＣに対して実記録時の温度変化による光ディスク記録媒体の特性が変動したり、ＯＰＣに対して実記録時の温度変化による半導体レーザー素子の波長変化に伴う記録特性が変動したり、或いはＯＰＣに対してＺ−ＣＬＶ記録やＣＡＶ記録による実記録時の記録速度の変化が起こったりすると、ＯＰＣで求めた最適パワーで記録しているにも拘らず、光ディスク記録媒体の記録状態が最適ではなくなってしまうことがある。
【０００８】
そこで、こうした問題を解決するため、記録動作時に様々な方法で記録状態を検出し、これに基づいて記録パワーを補正し、ＯＰＣ時の記録状態を維持する動作（所謂ランニングＯＰＣ）を行う技術が幾つか提案されている。
【０００９】
例えば特開平１０−４０５４８号公報に開示された「光ディスクのランニングＯＰＣ方法及び光ディスク記録再生装置」の場合、光ディスクへの情報記録開始時に実記録領域で数フレームに渡って複数のピット部の反射光強度最大値及びサンプル反射光強度を検出した結果に基づいて基準となる反射光強度最大値及びサンプル反射光強度を求め、情報記録開始時以降はピット部からの反射光強度最大値及びサンプル反射光強度を検出した結果と基準値とを比較した結果に基づいてレーザ光強度を補正することにより、情報記録時にレーザ光強度の的確な補正を可能にしている。
【００１０】
又、特願２００１−０１８２６０号で本願出願人により提案された「記録状態検出指数の算出方法並びにこれを用いた光ディスク記録方法及び光ディスク記録装置」の場合、ランニングＯＰＣの実行に際して、メインビーム反射光の総和信号を使用し、記録動作時ピット反射光後半の安定したレベル（Ｓｐ）と記録動作時スペース反射光レベル（Ｓｓ）と対物レンズ出射記録パワー値とを光ディスク記録動作時の記録状態検出用パラメータとして用いるようになっている。
【００１１】
更に、特願２００１−０２００９７号で本願出願人により提案された「光ディスク記録装置及びその記録方法」の場合、メインビームではなくサブビーム（サイドビーム）を光ディスク記録動作時の記録状態検出パラメータとして用い、前方サイドビームが記録中のトラック及びその外側のトラックの未記録部分に照射されてその戻り光（反射光）が記録ピットによる回折を受けていると共に、後方サイドビームの戻り光が記録ピットによる回折の影響を受けていることに留意し、これらの前方サイドビーム及び後方サイドビームの強度比により記録パワーを制御するようになっている。
【００１２】
因みに、一般的な光ディスク記録媒体を対象にした記録方法に関連する周知技術としては、特開２００１−３５１２４２号公報に開示された「光ディスク記録方法およびその装置」等が挙げられる。
【００１３】
【発明が解決しようとする課題】
上述したランニングＯＰＣの実行を含む光ディスク記録媒体用記録方法の場合、何れの場合も、以下に説明するように少なからず解消され得ない問題を抱えているため、現状ではより安定して均一な記録状態となるような記録パワーの制御を具現した上、合理的にランニングＯＰＣを行うことが困難になっているという問題がある。
【００１４】
即ち、例えば特開平１０−４０５４８号公報に開示された光ディスク記録媒体用記録方法の場合、実記録領域を対象として反射光強度最大値及びサンプル反射光強度の基準値を検出した後に固定して使用しているため、通常採用されている方法の場合と同様に、例えば実記録領域で光ディスク記録媒体の特性がディスク面内で変動していたり、或いは記録用のレーザ光の光軸に対して光ディスク記録媒体の実記録領域でディスク記録面の機械的な傾きがずれることでディスク面内変動が起こったりすると、安定して均一な記録状態となるように記録パワーの制御を行うことが困難になり、光ディスク記録媒体の記録状態が最適ではなくなってしまうという問題を解消できないものとなっている。
【００１５】
又、特願２００１−０１８２６０号で提案された光ディスク記録媒体用記録方法の場合、光ディスク反射率変動による記録動作時ピット反射光後半の安定したレベル（Ｓｐ）の変動を補正するために記録動作時スペース反射光レベル（Ｓｓ）を使用しており、こうした光ディスク反射率変動の補正を安定して行うためには記録動作時再生パワーが安定しているという条件が必要となるが、記録動作時スペース反射光レベル（Ｓｓ）の測定時にあってのレンズ出射パワーである記録動作時のピット生成しない程度の記録動作時再生パワーは、フロントモニタの周波数特性不足等の問題により常に安定したパワーに制御することが困難になってしまい、特にＺ−ＣＬＶ記録やＣＡＶ記録のように記録速度が変化するような条件下ではこの記録動作時再生パワーの制御が一段と困難になってしまうという問題がある。
【００１６】
更に、特願２００１−０２００９７号で提案された光ディスク記録媒体用記録方法の場合、サイドビームを記録状態検出パラメータとして使用しているため、しばしばＯＰＣ動作時にランニングＯＰＣの目標値を測定できなくなってしまうという問題がある。具体的に言えば、光ディスク記録媒体が例えばＣＤ−ＲであるときのＯＰＣはデータエリア記録とは異なり、外周側から内周側へと徐々にテストエリアを使用するように決められており、ＯＰＣのテスト記録を行うエリアのすぐ後ろ隣りには前回のＯＰＣで使用した波形が既に記録されている場合（前方サイドビームが未記録トラックだけの回折の影響を受けない場合）があり、こうした場合にＯＰＣにあっての記録動作とデータエリア記録の条件とに差が生じるため、ＯＰＣ時にランニングＯＰＣの目標値を求めることができなくなってしまう。又、サイドビームは記録するべきトラック同士（グルーブトラック同士）間に位置しているため、光ディスク記録媒体の内外周のトラックピッチが変動したり、或いはデトラック量により隣接するトラックからの回折の影響具合いが変動することも十分に考えられるため、こうした場合には安定したランニングＯＰＣを実行することが困難になってしまう。
【００１７】
本発明は、このような問題点を解決すべくなされたもので、その技術的課題は、より安定して均一な記録状態となるような記録パワーの制御を具現することで合理的にランニングＯＰＣを実行し得る光ディスク記録媒体用記録方法及び記録装置を提供することにある。
【００１８】
【課題を解決するための手段】
本発明によれば、光ディスク記録媒体が持つ情報を記録可能なトラックに対してレーザ光を用いて該情報を記録する際、該情報の記録状態を検出した結果に応じて該レーザ光による記録パワーを制御することで該記録状態を制御するランニングＯＰＣ（Ｒｕｎｎｉｎｇ　Ｏｐｔｉｍｕｍ　Ｐｏｗｅｒ　Ｃｏｎｔｒｏｌ）を行う光ディスク記録媒体用記録方法において、情報の記録時にトラックから得られるレーザ光によるメインビームの反射光を該トラックの接線方向に複数分割受光して得られる複数種類の反射光量レベルを利用して記録状態の制御に供する光ディスク記録媒体用記録方法が得られる。
【００１９】
又、本発明によれば、上記光ディスク記録媒体用記録方法において、複数種類の反射光量レベルを利用して記録状態の検出指数の演算に供する光ディスク記録媒体用記録方法が得られる。
【００２０】
更に、本発明によれば、上記何れかの光ディスク記録媒体用記録方法において、複数種類の反射光量レベルは、少なくともメインビーム先方側記録時ピット反射光レベルとメインビーム後方側記録時ピット反射光レベルとを含む光ディスク記録媒体用記録方法が得られる。
【００２１】
加えて、本発明によれば、上記光ディスク記録媒体用記録方法において、記録状態の制御には、メインビーム先方側記録時ピット反射光レベル，メインビーム後方側記録時ピット反射光レベル，及び記録パワーを用いる光ディスク記録媒体用記録方法、該メインビーム先方側記録時ピット反射光レベル，該メインビーム後方側記録時ピット反射光レベル，記録パワー，及び記録速度を用いる光ディスク記録媒体用記録方法、或いは該メインビーム先方側記録時ピット反射光レベル，該メインビーム後方側記録時ピット反射光レベル，該記録パワー，及び該記録速度の測定により記録動作条件下の固有値として得られる補正係数を用いる光ディスク記録媒体用記録方法が得られる。
【００２２】
一方、本発明によれば、上記光ディスク記録媒体用記録方法において、記録状態の検出指数の演算には、メインビーム先方側記録時ピット反射光レベル及びメインビーム後方側記録時ピット反射光レベルを用いる光ディスク記録媒体用記録方法、該メインビーム先方側記録時ピット反射光レベル及び該メインビーム後方側記録時ピット反射光レベル，及び記録パワーを用いる光ディスク記録媒体用記録方法、該メインビーム先方側記録時ピット反射光レベル，該メインビーム後方側記録時ピット反射光レベル，記録パワー，及び記録速度を用いる光ディスク記録媒体用記録方法、或いは該メインビーム先方側記録時ピット反射光レベル，該メインビーム後方側記録時ピット反射光レベル，該記録パワー，及び該記録速度の測定により記録動作条件下の固有値として得られる補正係数を用いる光ディスク記録媒体用記録方法が得られる。
【００２３】
又、本発明によれば、上記光ディスク記録媒体用記録方法において、記録状態の検出指数は、メインビーム先方側記録時ピット反射光レベル及びメインビーム後方側記録時ピット反射光レベルの比の値で得られる光ディスク記録媒体用記録方法が得られる。
【００２４】
更に、本発明によれば、上記光ディスク記録媒体用記録方法において、記録状態の検出指数は、メインビーム先方側記録時ピット反射光レベル及びメインビーム後方側記録時ピット反射光レベルの比の値に対する記録パワーに関してのランニングＯＰＣの感度係数でべき乗した値との比の値で得られる光ディスク記録媒体用記録方法が得られる。
【００２５】
加えて、本発明によれば、上記光ディスク記録媒体用記録方法において、記録状態の検出指数は、メインビーム先方側記録時ピット反射光レベル及びメインビーム後方側記録時ピット反射光レベルの比の値に対する記録パワーに関してのランニングＯＰＣの感度係数でべき乗した値と補正係数とを演算した値との比の値で得られる光ディスク記録媒体用記録方法が得られる。
【００２６】
これらの何れか一つの光ディスク記録媒体用記録方法において、記録状態の検出指数の算出演算式中のランニングＯＰＣの感度係数の値を光ディスク記録媒体毎に記録条件により最適な値に微調整しておくことで該ランニングＯＰＣの効き具合を該光ディスク記録媒体のそれぞれについて最適な状態に微調整可能としたことは好ましい。
【００２７】
又、これらの何れか一つの光ディスク記録媒体用記録方法において、トラックの所定の試し書き領域ＰＣＡ（Ｐｏｗｅｒ　Ｃａｌｉｂｒａｔｉｏｎ　Ａｒｅａ）に最適パワーで試し書きする際に記録状態の検出指数の演算値を該記録状態の検出指数目標値とすること、トラックの情報記録領域への実記録の前に最適記録パワーを校正するためのＯＰＣ（Ｏｐｔｉｍｕｍ　Ｐｏｗｅｒ　Ｃａｌｉｂｒａｔｉｏｎ）動作時に記録状態の検出指数の演算値を該記録状態の検出指数目標値とすること、トラックの情報記録領域への実記録の開始直後に記録状態の検出指数の演算値を該記録状態の検出指数目標値とすることは、それぞれ好ましく、更にトラックの情報記録領域への実記録動作時に記録状態の検出指数を測定した結果と該記録状態の検出指数目標値とにおける差値が最小になるように記録パワーを制御することも好ましい。
【００２８】
更に、これらの何れか一つの光ディスク記録媒体用記録方法において、記録状態の検出指数の演算値として、光ディスク記録媒体の少なくとも１周分以上測定して平均化算出したものの平均値を使用することは好ましく、更に記録状態の検出指数の演算で平均値を算出するために要するパラメータとして、光ディスク記録媒体の少なくとも１周分以上測定して平均化算出したものの値を使用した上で該記録状態の検出指数の平均値の算出に供することも好ましい。
【００２９】
他方、本発明によれば、光ディスク記録媒体が持つ情報を記録可能なトラックに対して光ヘッドに備えられる照射用発光素子から照射されたレーザ光を用いて該情報を記録可能であると共に、該情報の記録状態を検出した結果に応じて該レーザ光による記録パワーを制御することで該記録状態を制御するランニングＯＰＣ機構を備えた光ディスク記録媒体用記録装置において、ランニングＯＰＣ機構は、情報の記録時にトラックから得られるレーザ光によるメインビームの反射光を該トラックの接線方向に複数分割された複数種類の反射光量レベルとして受光して記録状態の制御に供するために光ヘッドに配備された複数の受光素子を含む光ディスク記録媒体用記録装置が得られる。
【００３０】
又、本発明によれば、上記光ディスク記録媒体用記録装置において、ランニングＯＰＣ機構は、複数種類の反射光量レベルを利用して記録状態の検出指数を演算すると共に、記録パワー及び再生パワーを制御するＯＰＣ制御回路を含み、更に、複数の受光素子は、複数種類の反射光量レベルとして、少なくともメインビーム先方側記録時ピット反射光レベルとメインビーム後方側記録時ピット反射光レベルとを取得する光ディスク記録媒体用記録装置が得られる。
【００３１】
更に、本発明によれば、上記光ディスク記録媒体用記録装置において、ランニングＯＰＣ機構は、記録状態の制御に際して、メインビーム先方側記録時ピット反射光レベル，メインビーム後方側記録時ピット反射光レベル，及び記録パワーを用いるか、該メインビーム先方側記録時ピット反射光レベル，該メインビーム後方側記録時ピット反射光レベル，該記録パワー，及び記録速度を用いるか、或いは該メインビーム先方側記録時ピット反射光レベル，該メインビーム後方側記録時ピット反射光レベル，該記録パワー，及び該記録速度の測定により記録動作条件下の固有値として得られる補正係数を用いる光ディスク記録媒体用記録装置が得られる。
【００３２】
加えて、本発明によれば、上記何れかの光ディスク記録媒体用記録装置において、ランニングＯＰＣ機構は、記録状態の検出指数の演算に際して、メインビーム先方側記録時ピット反射光レベル及びメインビーム後方側記録時ピット反射光レベルを用いるか、該メインビーム先方側記録時ピット反射光レベル，該メインビーム後方側記録時ピット反射光レベル，及び記録パワーを用いるか、該メインビーム先方側記録時ピット反射光レベル，該メインビーム後方側記録時ピット反射光レベル，該記録パワー，及び記録速度を用いるか、或いは該メインビーム先方側記録時ピット反射光レベル，該メインビーム後方側記録時ピット反射光レベル，該記録パワー，及び記録速度の測定により記録動作条件下の固有値として得られる補正係数を用いる光ディスク記録媒体用記録装置が得られる。
【００３３】
この光ディスク記録媒体用記録装置において、ランニングＯＰＣ機構は、記録状態の検出指数の演算を、メインビーム先方側記録時ピット反射光レベル及びメインビーム後方側記録時ピット反射光レベルの比の値で得るか、該メインビーム先方側記録時ピット反射光レベル及び該メインビーム後方側記録時ピット反射光レベルの比の値に対する記録パワーに関してのランニングＯＰＣの感度係数でべき乗した値との比の値で得るか、或いは該メインビーム先方側記録時ピット反射光レベル及び該メインビーム後方側記録時ピット反射光レベルの比の値に対する該記録パワーに関してのランニングＯＰＣの感度係数でべき乗した値と補正係数とを演算した値との比の値で得ることは好ましい。
【００３４】
又、この光ディスク記録媒体用記録装置において、ランニングＯＰＣ機構は、記録状態の検出指数の算出演算式中のランニングＯＰＣの感度係数の値を光ディスク記録媒体毎に記録条件により最適な値に微調整しておくことで該ランニングＯＰＣの効き具合を該光ディスク記録媒体のそれぞれについて最適な状態に微調整可能としたことは好ましい。
【００３５】
更に、本発明によれば、上記何れか一つの光ディスク記録媒体用記録装置において、ランニングＯＰＣ機構は、記録状態の検出指数の演算値をトラックの所定の試し書き領域ＰＣＡ（Ｐｏｗｅｒ　Ｃａｌｉｂｒａｔｉｏｎ　Ａｒｅａ）に最適パワーで試し書きする際に該記録状態の検出指数目標値とする光ディスク記録媒体用記録装置、記録状態の検出指数の演算値をトラックの情報記録領域への実記録の前に最適記録パワーを校正するためのＯＰＣ（Ｏｐｔｉｍｕｍ　Ｐｏｗｅｒ　Ｃａｌｉｂｒａｔｉｏｎ）動作時に該記録状態の検出指数目標値とする光ディスク記録媒体用記録装置、トラックの情報記録領域への実記録の開始直後に記録状態の検出指数の演算値を該記録状態の検出指数目標値とする光ディスク記録媒体用記録装置、或いはトラックの情報記録領域への実記録動作時に記録状態の検出指数を測定した結果と該記録状態の検出指数目標値とにおける差値が最小になるように記録パワーを制御する光ディスク記録媒体用記録装置が得られる。
【００３６】
加えて、本発明によれば、上記何れか一つの光ディスク記録媒体用記録装置において、ランニングＯＰＣ機構は、記録状態の検出指数の演算値として、光ディスク記録媒体の少なくとも１周分以上測定して平均化算出したものの平均値を使用する光ディスク記録媒体用記録装置が得られる。
【００３７】
この光ディスク記録媒体用記録装置において、ランニングＯＰＣ機構は、記録状態の検出指数の演算で平均値を算出するために要するパラメータとして、光ディスク記録媒体の少なくとも１周分以上測定して平均化算出したものの値を使用した上で該記録状態の検出指数の平均値の算出に供することは好ましい。
【００３８】
【発明の実施の形態】
以下に本発明の実施の形態について、図面を参照して詳細に説明する。最初に、本発明の光ディスク記録媒体用記録方法の技術的概要を簡単に説明する。この光ディスク記録媒体用記録方法は、光ディスク記録媒体が持つ情報を記録可能なトラックに対してレーザ光を用いて情報を記録する際、情報の記録状態を検出した結果に応じてレーザ光による記録パワーを制御することで記録状態を制御するランニングＯＰＣ（Ｒｕｎｎｉｎｇ　Ｏｐｔｉｍｕｍ　Ｐｏｗｅｒ　Ｃｏｎｔｒｏｌ）を行うもので、情報の記録時にトラックから得られるレーザ光によるメインビームの反射光をトラックの接線方向に複数分割受光した複数種類の反射光量レベルを利用して記録状態の制御に供するものである。又、ここで得られた各反射光量レベルを利用して記録状態の検出指数の演算に供する。
【００３９】
複数種類の反射光量レベルは、少なくともメインビーム先方側記録時ピット反射光レベル（Ｓｐａｂ）とメインビーム後方側記録時ピット反射光レベル（Ｓｐｃｄ）とを含むもので、記録状態の制御には、メインビーム先方側記録時ピット反射光レベル（Ｓｐａｂ），メインビーム後方側記録時ピット反射光レベル（Ｓｐｃｄ），及び記録パワーを用いるか、メインビーム先方側記録時ピット反射光レベル（Ｓｐａｂ），メインビーム後方側記録時ピット反射光レベル（Ｓｐｃｄ），記録パワー，及び記録速度（Ｌｖ）を用いるか、或いはメインビーム先方側記録時ピット反射光レベル（Ｓｐａｂ），メインビーム後方側記録時ピット反射光レベル（Ｓｐｃｄ），記録パワー，及び記録速度（Ｌｖ）の測定により記録動作条件下の固有値として得られる補正係数（ｋ）を用いる。
【００４０】
記録状態の検出指数の演算についても、同様にメインビーム先方側記録時ピット反射光レベル（Ｓｐａｂ）及びメインビーム後方側記録時ピット反射光レベル（Ｓｐｃｄ）を用いるか、メインビーム先方側記録時ピット反射光レベル（Ｓｐａｂ）及びメインビーム後方側記録時ピット反射光レベル（Ｓｐｃｄ），及び記録パワーを用いるか、メインビーム先方側記録時ピット反射光レベル（Ｓｐａｂ），メインビーム後方側記録時ピット反射光レベル（Ｓｐｃｄ），記録パワー，及び記録速度（Ｌｖ）を用いるか、或いはメインビーム先方側記録時ピット反射光レベル（Ｓｐａｂ），メインビーム後方側記録時ピット反射光レベル（Ｓｐｃｄ），記録パワー，及び記録速度（Ｌｖ）の測定により記録動作条件下の固有値として得られる補正係数（ｋ）を用いる。
【００４１】
具体的に言えば、記録状態の検出指数は、メインビーム先方側記録時ピット反射光レベル（Ｓｐａｂ）及びメインビーム後方側記録時ピット反射光レベル（Ｓｐｃｄ）の比の値で得られるか、メインビーム先方側記録時ピット反射光レベル（Ｓｐａｂ）及びメインビーム後方側記録時ピット反射光レベル（Ｓｐｃｄ）の比の値に対する記録パワーに関してのランニングＯＰＣの感度係数（ｎ）でべき乗した値との比の値で得られるか、或いはメインビーム先方側記録時ピット反射光レベル（Ｓｐａｂ）及びメインビーム後方側記録時ピット反射光レベル（Ｓｐｃｄ）の比の値に対する記録パワーに関してのランニングＯＰＣの感度係数（ｎ）でべき乗した値と補正係数（ｋ）とを演算した値との比の値で得られるものである。
【００４２】
このような光ディスク記録媒体用記録方法において、記録状態の検出指数の算出演算式中のランニングＯＰＣの感度係数（ｎ）の値を光ディスク記録媒体毎に記録条件により最適な値に微調整しておくことでランニングＯＰＣの効き具合を光ディスク記録媒体のそれぞれについて最適な状態に微調整可能としたり、或いはトラックの所定の試し書き領域ＰＣＡ（Ｐｏｗｅｒ　ＣａｌｉｂｒａｔｉｏｎＡｒｅａ）に最適パワーで試し書きする際に記録状態の検出指数の演算値を記録状態の検出指数目標値とすること、トラックの情報記録領域への実記録の前に最適記録パワーを校正するためのＯＰＣ（Ｏｐｔｉｍｕｍ　Ｐｏｗｅｒ　Ｃａｌｉｂｒａｔｉｏｎ）動作時に記録状態の検出指数の演算値を記録状態の検出指数目標値とすること、トラックの情報記録領域への実記録の開始直後に記録状態の検出指数の演算値を記録状態の検出指数目標値とすることは、それぞれ好ましい。更にトラックの情報記録領域への実記録動作時に任意なタイミング（即ち、常時，一定間隔，或いはランダムな時々を示す）で記録状態の検出指数を測定した結果と記録状態の検出指数目標値とにおける差値が最小になるように記録パワーを制御することも好ましい。
【００４３】
又、このような光ディスク記録媒体用記録方法において、記録状態の検出指数の演算値として、光ディスク記録媒体の少なくとも１周分以上測定して平均化算出したものの平均値を使用することが好ましく、更に記録状態の検出指数の演算で平均値を算出するために要するパラメータとして、光ディスク記録媒体の少なくとも１周分以上測定して平均化算出したものの値を使用した上で記録状態の検出指数の平均値の算出に供することも好ましい。
【００４４】
図１は、上述した本発明の光ディスク記録媒体用記録方法を適用した一つの実施の形態に係る光ディスク記録媒体用記録装置の要部構成を示した部分拡大図であり、同図（ａ）は光ディスク記録媒体の情報を記録可能なトラック（グルーブトラック）Ｔに対するレーザ光（メインビーム）の照射により得られるレーザビームスポットＳからの反射光を受光した光ヘッドの複数（ここでは４個）の受光素子８ａ，８ｂ，８ｃ，８ｄにおいて形成される反射光スポットＳ′の配置対応を示した概略図に関するもの，同図（ｂ）は記録パワーが同図（ａ）の場合よりも高いときのトラック（グルーブトラック）ＴにおけるレーザビームスポットＳと記録マーク（ピット）Ｍとの関係を示した拡大図に関するものである。
【００４５】
ここでは、図１（ａ）を参照すれば、光ディスク記録媒体における情報を記録可能なトラック（グルーブトラック）Ｔに対するレーザ光（メインビーム）の照射により得られるレーザビームスポットＳからの反射光を受光する光ヘッドにあって、各受光素子８ａ，８ｂ，８ｃ，８ｄを反射光スポットＳ′の投射形成時にトラック接線方向（タンジェンシャル方向）に２分割（反射光スポットＳ′を領域Ｅ１，Ｅ２に対応させて分割）配置すると共に、光ディスク記録媒体のトラック接線方向と同一ディスク面上で９０度垂直なディスク内外周方向（ラジアル方向）にも２分割（反射光スポットＳ′を領域Ｅ３，Ｅ４に対応させて分割）配置することで合計４分割配置した構造（機能的には光ディスク記録媒体のトラック接線方向に少なくとも２分割されていれば良い）を持たせるものとし、これらの４分割配置された各受光素子８ａ，８ｂ，８ｃ，８ｄからそれぞれディスク回転方向とは逆向きのビーム進行方向に対して先方側のメインビーム先方側受光素子８ａ，８ｂの検出信号の和によるメインビーム先方側検出信号（ａ＋ｂ）と、後方側のメインビーム後方側受光素子８ｃ，８ｄの検出信号の和によるメインビーム後方側検出信号（ｃ＋ｄ）とをそれぞれ増幅器で増幅生成した後に記録状態の検出指数の演算に供した上で記録状態の制御（ランニングＯＰＣの動作制御）を可能とする機能を持たせることを示している。
【００４６】
又、図１（ｂ）では、記録パワーが図１（ａ）の場合よりも高いとき、トラック（グルーブトラック）ＴのレーザビームスポットＳでは図１（ａ）の場合よりも記録マーク（ピット）Ｍが拡大されることを示している。
【００４７】
図２は、光ディスク記録媒体用記録装置に備えられる光ヘッドで得られる情報の記録動作時における処理信号Ａ，Ｂ，Ｃ，Ｄの時間推移に対する波形を光ディスク記録媒体のトラックＴに対応させて示したタイミングチャートである。
【００４８】
即ち、処理信号Ａは記録再生信号であり、トラックＴの記録マーク（ピット）ＭとスペースＶとにそれぞれ対応してピット生成記録パワー区間となる矩形波の立上がりと再生パワー区間となる矩形波の立下がりとが繰り返し現れている様子を示している。
【００４９】
処理信号Ｂはメインビーム先方側受光素子８ａ，８ｂにおいて受光生成される光ディスク記録媒体に対するピット生成記録パワー照射時のメインビーム先方側検出信号（ａ＋ｂ）であり、ここではその後半の安定したレベルを処理信号Ｄのサンプルホールド信号の矩形波の立上がりのタイミングでサンプルホールドすることにより、メインビーム先方側記録時ピット反射光レベル（Ｓｐａｂ）を生成することを示している。
【００５０】
処理信号Ｃはメインビーム先方側受光素子８ｃ，８ｄにおいて受光生成される光ディスク記録媒体に対するピット生成記録パワー照射時のメインビーム先方側検出信号（ｃ＋ｄ）であり、ここでもその後半の安定したレベルを処理信号Ｄのサンプルホールド信号の矩形波の立上がりのタイミングでサンプルホールドすることにより、メインビーム後方側記録時ピット反射光レベル（Ｓｐｃｄ）を生成することを示している。
【００５１】
記録動作時には、光ディスク記録媒体上のトラックＴでは、記録マーク（ピット）ＭとレーザービームスポットＳとが図１（ａ）に示したようなイメージとなるが、記録動作時のピット生成パワーを或る程度の時間照射した場合、ビーム進行方向に対してメインビーム先方側受光素子８ａ，８ｂは、ピット生成されていない反射率の高い部分からの反射光量が多く、これに対してメインビーム後方側受光素子８ｃ，８ｄは、ピット生成されている部分が先方側よりも多くて反射光量が先方側に比べて少なくなるため、処理信号Ｂ，Ｃの波形のようにメインビーム先方側記録時ピット反射光レベル（Ｓｐａｂ）とメインビーム後方側記録時ピット反射光レベル（Ｓｐｃｄ）とに差が生じる。更に記録パワーが高くなると、図１（ｂ）に示したようなイメージとなり、この場合のメインビーム先方側記録時ピット反射光レベル（Ｓｐａｂ）とメインビーム後方側記録時ピット反射光レベル（Ｓｐｃｄ）との差は図１（ａ）に示したようなイメージの場合と比べて更に大きくなる。
【００５２】
図３は、上述した光ディスク記録媒体用記録装置における光ディスク記録媒体に対する情報の記録状態を示すパラメータβ（％）とメインビーム先方側記録時ピット反射光レベル（Ｓｐａｂ），メインビーム後方側記録時ピット反射光レベル（Ｓｐｃｄ）（Ｖ）との関係を記録パワーを変化させて記録を行った場合の実測結果を示した特性図である。
【００５３】
ここでは、記録パワーを変化させて記録を行った場合における書き上がり状態でのβと記録中のメインビーム先方側記録時ピット反射光レベル（Ｓｐａｂ），メインビーム後方側記録時ピット反射光レベル（Ｓｐｃｄ）との関係が示されているが、書き上がり状態でのβが深くなるとメインビーム先方側記録時ピット反射光レベル（Ｓｐａｂ），メインビーム後方側記録時ピット反射光レベル（Ｓｐｃｄ）の差が大きくなることが判る。
【００５４】
図４は、図３で説明した光ディスク記録媒体に対する情報の記録状態を示すパラメータβ（％）とメインビーム先方側記録時ピット反射光レベル（Ｓｐａｂ），メインビーム後方側記録時ピット反射光レベル（Ｓｐｃｄ）の強度比との関係を示した特性図である。
【００５５】
ここでは、記録パワーを変化させて記録を行った場合における書き上がり状態でのβの増加に伴い、メインビーム先方側記録時ピット反射光レベル（Ｓｐａｂ），メインビーム後方側記録時ピット反射光レベル（Ｓｐｃｄ）の強度比が緩やかに減少する一定の関係の波形となることが判る。
【００５６】
この特性を利用し、メインビーム先方側記録時ピット反射光レベル（Ｓｐａｂ）及びメインビーム後方側記録時ピット反射光レベル（Ｓｐｃｄ）と、或いは必要に応じて記録パワーとから記録状態の検出指数を演算し、光ディスク記録媒体への記録動作時にここで得た記録状態の検出指数に基づいて記録パワーを制御するようにしてランニングＯＰＣを実行すれば、簡単な方法で光ディスク記録媒体全面における記録状態を安定して均一な記録状態にすることができる。
【００５７】
そこで、本発明の光ディスク記録媒体用記録装置では、光ディスク記録媒体が持つ情報を記録可能なトラックに対して光ヘッドに備えられる照射用発光素子から照射されたレーザ光を用いて情報を記録可能であると共に、情報の記録状態を検出した結果に応じてレーザ光による記録パワーを制御することで記録状態を制御するランニングＯＰＣ機構を備えた基本構成において、ランニングＯＰＣ機構が情報の記録時にトラックから得られるレーザ光によるメインビームの反射光をトラックの接線方向に複数分割された複数種類の反射光量レベルとして受光して記録状態の制御に供するために光ヘッドに配備された複数の受光素子を含み、しかも複数種類の反射光量レベルを利用して記録状態の検出指数を演算すると共に、記録パワー及び再生パワーを制御するＯＰＣ制御回路を含むものとし、更に、複数の受光素子が複数種類の反射光量レベルとして少なくともメインビーム先方側記録時ピット反射光レベル（Ｓｐａｂ）とメインビーム後方側記録時ピット反射光レベル（Ｓｐｃｄ）とを取得可能な構成となる。
【００５８】
図５は、上述した光ディスク記録媒体用記録装置の全体構成を例示した概略ブロック図である。
【００５９】
この光ディスク記録媒体用記録装置の場合、スピンドルモータ２によって回転するターンテーブル２２上に光ディスク記録媒体１が装着され、この装着状態の光ディスク記録媒体１に対して情報を光ヘッド３により読み書きできるようになっている。
【００６０】
即ち、光ヘッド３では、筐体内で半導体レーザ素子であるレーザダイオード（ＬＤ）４からのレーザービームがハーフミラー２３によって屈折されてトラック／フォーカス（ＴＲＫ／ＦＣＳ）機構６内に配備された対物レンズ５を通ることによって光ディスク記録媒体１上に焦点を結び、この光ディスク記録媒体からのレーザービーム反射光が再び光ヘッド３内に対物レンズ５及びハーフミラー２３を介して戻ったものが複数に分割された信号検出用受光素子であるフォトダイオード（ＰＤ）８で受光されてその反射光量が検出された後、電流−電圧変換（ＩＶ）アンプ１４に送出され、ここで複数の電圧信号に変換されて他の各部に印加される。
【００６１】
ここで得られる各電圧信号のうち、メインビームの和信号は反射光信号（Ｈｉｇｈ　Ｆｒｅｑｕｅｎｃｙ　Ｗａｖｅ　Ｆｏｒｍ　Ｓｉｇｎａｌ）２１として光ディスク記録媒体１上の記録波形を読み出すための回転制御を行う回転制御部２８へ送出される他、記録速度に関する線速度又は線速度比を検出して線速度検出信号又は線速度比検出信号３０を生成出力するための線速度検出回路２９，アシンメトリを検出してアシンメトリ検出信号３１を生成出力するためのアシンメトリ検出回路１７，及びＯＰＣ制御を行うためのＯＰＣ制御回路（記録状態の検出指数の演算，記録パワー／再生パワーの制御を担う）２０へ送出される。又、各電圧信号は、マトリクスによって光ディスク記録媒体１上にレーザービームの焦点を合わせるためのフォーカス機能や光ディスク記録媒体１上のトラックにレーザービームスポットを追従させるトラッキング機能を持つトラック／フォーカス（ＴＲＫ／ＦＣＳ）機構６をサンプルホールド回路（Ｓ／Ｈ）１５及びサーボ制御回路１６を介して制御するためのサーボ制御用検出信号２５を含んでいる。
【００６２】
因みに、光ディスク記録媒体１に対して情報を記録する場合、光ディスク記録媒体１上にピットを生成するためにレーザービームにより記録パワーと再生パワーとを交互に照射するとき、再生パワー照射時のみの反射光による電圧信号をサンプルホールド回路（Ｓ／Ｈ）１５により保持してサーボ制御信号とし、このサーボ制御信号をサーボ制御回路１６で処理した上で光ヘッド３のトラック／フォーカス（ＴＲＫ／ＦＣＳ）機構６を駆動させ、これにより対物レンズ５が制御されてレーザービームスポットを光ディスク記録媒体１上の所定の位置にサーボ制御する。尚、図５中には略図しているが、光ディスク記録媒体１における内周／外周へ光ヘッド３を移動させるスレッド機構も備えられており、大まかなトラックへの追従動作をスレッド機構で行うようになっている。
【００６３】
一方、レーザダイオード（ＬＤ）４からのレーザービームのうちハーフミラー２３によって屈折されない分の光量はフロントモニタ用の受光素子であるフロントモニタフォトダイオード（ＰＤ）７に直接照射され、ここでレーザダイオード（ＬＤ）４のレーザービーム強度が検出された後に電流−電圧変換（ＩＶ）アンプ９で電圧信号に変換されることにより、レーザービーム強度を常に設定された強度に保つための自動パワー制御（Ａｕｔｏ　Ｐｏｗｅｒ　Ｃｏｎｔｒｏｌ／ＡＰＣ）用のフロントモニタ検出信号２４として使用され、このフロントモニタ検出信号２４がサンプルホールド回路（Ｓ／Ｈ）１０及び再生ＡＰＣ回路１２とサンプルホールド回路（Ｓ／Ｈ）１１及び記録ＡＰＣ回路１３とを介してそれぞれＡＰＣ処理された後にレーザダイオード（ＬＤ）４へ送出されるようになっている。
【００６４】
即ち、光ディスク記録媒体１に対する記録動作時は、光ディスク記録媒体１上に決められた長さのピットを生成すべく、レーザダイオード（ＬＤ）４によりレーザービームとして記録パワーと再生パワーとを交互に照射するため、再生パワー照射時の瞬間と記録パワー照射時の瞬間とのフロントモニタ検出信号２４をそれぞれサンプルホールド回路（Ｓ／Ｈ）１０，１１で保持した後、それぞれ再生ＡＰＣ回路１２，記録ＡＰＣ回路１３に入力させる。これらの再生ＡＰＣ回路１２，記録ＡＰＣ回路１３では、記録パワー／再生パワーの制御機能を持つＯＰＣ制御回路２０によって照射パワー目標値が設定され、レーザービーム強度がこの設定パワーになるようにフロントモニタ検出信号２４の各サンプルホールド信号に基づいてＡＰＣ処理を行う。そして、再生時には光ディスク記録媒体１からの反射光信号２１がアシンメトリ検出回路１７に入力され、再生波形のアシンメトリ（或いはβ）が検出される。
【００６５】
更に、電流−電圧変換（ＩＶ）アンプ１４で得られる各電圧信号のうち、光ディスク記録媒体１からの反射光をフォトダイオード（ＰＤ）８で分割して受光したものに対応する各反射光検出信号３４は、一部［ここでもフォトダイオード（ＰＤ）８を図１（ａ）に示したような４分割配置された形態とすれば、メインビーム先方側に配置された一対のものから得られる部分を示す］がメインビーム反射光先方側信号生成回路１８に入力され、他部［ここでも同様にフォトダイオード（ＰＤ）８を図１（ａ）に示したような４分割配置された形態とすれば、メインビーム後方側に配置された一対のものから得られる部分を示す］がメインビーム反射光後方側信号生成回路１９に入力される。
【００６６】
メインビーム反射光先方側信号生成回路１８では、記録動作時に図２の処理信号Ｂに示したような波形としてメインビーム先方側に配置されたものを加算する処理を行った上でメインビーム先方側ピット反射光サンプルホールド（Ｓ／Ｈ）回路３２へ送出し、メインビーム先方側ピット反射光サンプルホールド（Ｓ／Ｈ）回路３２では、記録パワー照射時のピット生成が飽和して反射光レベルが安定する後半部分をサンプルホールドしてメインビーム先方側記録時ピット反射光レベル（Ｓｐａｂ）２６を生成出力してＯＰＣ制御回路２０へ送出する。同様に、メインビーム反射光後方側信号生成回路１９では、記録動作時に図２の処理信号Ｃに示したような波形としてメインビーム後方側に配置されたものを加算する処理を行った上でメインビーム後方側ピット反射光サンプルホールド（Ｓ／Ｈ）回路３３へ送出し、メインビーム後方側ピット反射光サンプルホールド（Ｓ／Ｈ）回路３３では、記録パワー照射時のピット生成が飽和して反射光レベルが安定する後半部分をサンプルホールドしてメインビーム後方側記録時ピット反射光レベル（Ｓｐｃｄ）２７を生成出力してＯＰＣ制御回路２０へ送出する。
【００６７】
そこで、ＯＰＣ制御回路２０では、これらのメインビーム先方側記録時ピット反射光レベル（Ｓｐａｂ）２６及びメインビーム後方側記録時ピット反射光レベル（Ｓｐｃｄ）２７の値を用いるか、或いは必要に応じて記録パワーレベル，アシンメトリ検出回路１７からのアシンメトリ，線速度検出回路２９から記録速度（Ｌｖ）を示す線速度又は線速度比，記録速度（Ｌｖ）の測定により記録動作条件下の固有値として得られる補正係数（ｋ）を入力し、これらの値に基づいて記録状態の検出指数の演算機能により記録状態の検出指数を算出し、ここで得られた記録状態の検出指数に基づいて再生ＡＰＣ回路１２，記録ＡＰＣ回路１３を介してレーザダイオード（ＬＤ）４による記録パワーを制御することでランニングＯＰＣを実行する。
【００６８】
従って、この光ディスク記録媒体用記録装置において、光ヘッド３のレーザダイオード（ＬＤ）４からのレーザービームを検出した結果に基づいてその照射光量を制御するための各部、即ち、少なくともフォトダイオード（ＰＤ）８，電流−電圧変換（ＩＶ）アンプ１４，メインビーム反射光先方側信号生成回路１８，メインビーム先方側ピット反射光サンプルホールド（Ｓ／Ｈ）回路３２，メインビーム反射光後方側信号生成回路１９，メインビーム後方側ピット反射光サンプルホールド（Ｓ／Ｈ）回路３３，ＯＰＣ制御回路２０，再生ＡＰＣ回路１２，及び記録ＡＰＣ回路１３によるループは、メインビーム先方側記録時ピット反射光レベル（Ｓｐａｂ）２６及びメインビーム後方側記録時ピット反射光レベル（Ｓｐｃｄ）２７を用いて記録状態の検出指数を演算するためのランニングＯＰＣ機構となり、更にこのランニングＯＰＣ機構は、記録状態の検出指数の演算に際して、メインビーム先方側記録時ピット反射光レベル（Ｓｐａｂ）２６，メインビーム後方側記録時ピット反射光レベル（Ｓｐｃｄ）２７，及び記録パワーを用いたり、或いはフォトダイオード（ＰＤ）８，電流−電圧変換（ＩＶ）アンプ１４，アシンメトリ検出回路１７，ＯＰＣ制御回路２０，再生ＡＰＣ回路１２，及び記録ＡＰＣ回路１３によるループや、フォトダイオード（ＰＤ）８，電流−電圧変換（ＩＶ）アンプ１４，線速度又は線速度比検出回路２９，ＯＰＣ制御回路２０，再生ＡＰＣ回路１２，及び記録ＡＰＣ回路１３によるループを含めてメインビーム先方側記録時ピット反射光レベル（Ｓｐａｂ）２６，メインビーム後方側記録時ピット反射光レベル（Ｓｐｃｄ）２７，記録パワー，及び記録速度（Ｌｖ）を用いて記録状態の検出指数を演算することが可能である他、メインビーム先方側記録時ピット反射光レベル（Ｓｐａｂ）２６，メインビーム後方側記録時ピット反射光レベル（Ｓｐｃｄ）２７，記録パワー，及び記録速度（Ｌｖ）の測定により記録動作条件下の固有値として得られる補正係数（ｋ）を用いて記録状態の検出指数を演算することが可能になっている。
【００６９】
又、ランニングＯＰＣ機構は、記録状態の制御に際して、メインビーム先方側記録時ピット反射光レベル（Ｓｐａｂ）２６，メインビーム後方側記録時ピット反射光レベル（Ｓｐｃｄ）２７，及び記録パワーを用いるか、メインビーム先方側記録時ピット反射光レベル（Ｓｐａｂ）２６，メインビーム後方側記録時ピット反射光レベル（Ｓｐｃｄ）２７，記録パワー，及び記録速度（Ｌｖ）を用いるか、或いはメインビーム先方側記録時ピット反射光レベル（Ｓｐａｂ）２６，メインビーム後方側記録時ピット反射光レベル（Ｓｐｃｄ）２７，記録パワー，及び記録速度（Ｌｖ）の測定により記録動作条件下の固有値として得られる補正係数（ｋ）を用いることが可能となっている。
【００７０】
因みに、ここでのランニングＯＰＣ機構（ＯＰＣ制御回路２０）による記録状態の検出指数の演算は、具体例を後文で詳述するが、例えばメインビーム先方側記録時ピット反射光レベル（Ｓｐａｂ）２６及びメインビーム後方側記録時ピット反射光レベル（Ｓｐｃｄ）２７の比の値で得るか、メインビーム先方側記録時ピット反射光レベル（Ｓｐａｂ）２６及びメインビーム後方側記録時ピット反射光レベル（Ｓｐｃｄ）２７の比の値に対する記録パワーに関してのランニングＯＰＣの感度係数（ｎ）でべき乗した値との比の値で得るか、或いはメインビーム先方側記録時ピット反射光レベル（Ｓｐａｂ）２６及びメインビーム後方側記録時ピット反射光レベル（Ｓｐｃｄ）２７の比の値に対する記録パワーに関してのランニングＯＰＣの感度係数（ｎ）でべき乗した値と補正係数（ｋ）とを演算した値との比の値で得ることができる。
【００７１】
又、この光ディスク記録媒体用記録装置において、ランニングＯＰＣ機構は、記録状態の検出指数の算出演算式中のランニングＯＰＣの感度係数（ｎ）の値を光ディスク記録媒体毎に記録条件により最適な値に微調整しておくことでランニングＯＰＣの効き具合を光ディスク記録媒体のそれぞれについて最適な状態に微調整可能としたり、記録状態の検出指数の演算値をトラックの所定の試し書き領域ＰＣＡ（Ｐｏｗｅｒ　Ｃａｌｉｂｒａｔｉｏｎ　Ａｒｅａ）に最適パワーで試し書きする際に記録状態の検出指数目標値としたり、記録状態の検出指数の演算値をトラックの情報記録領域への実記録の前に最適記録パワーを校正するためのＯＰＣ（Ｏｐｔｉｍｕｍ　Ｐｏｗｅｒ　Ｃａｌｉｂｒａｔｉｏｎ）動作時に記録状態の検出指数目標値としたり、トラックの情報記録領域への実記録の開始直後に記録状態の検出指数の演算値を記録状態の検出指数目標値としたり、或いはトラックの情報記録領域への実記録動作時に記録状態の検出指数を測定した結果と記録状態の検出指数目標値とにおける差値が最小になるように記録パワーを制御するようにすることができる。
【００７２】
何れにしても、ランニングＯＰＣ機構は、記録状態の検出指数の演算値として、光ディスク記録媒体１の少なくとも１周分以上測定して平均化算出したものの平均値を使用するようにし、更に、記録状態の検出指数の演算で平均値を算出するために要するパラメータとして、光ディスク記録媒体１の少なくとも１周分以上測定して平均化算出したものの値を使用した上で記録状態の検出指数の平均値の算出に供することが好ましい。
【００７３】
以下は、この光ディスク記録媒体用記録装置の動作処理を図６〜図９に示すフローチャートを参照して説明する。
【００７４】
図６は、この光ディスク記録媒体用記録装置における光ディスク記録媒体１のデータ領域への実記録動作前にその所定の試し書き領域であるＰＣＡ（Ｐｏｗｅｒ　Ｃａｌｉｂｒａｔｉｏｎ　Ａｒｅａ）で最適記録パワー（Ｐｗ０）を校正するためのＯＰＣ（Ｏｐｔｉｍｕｍ　Ｐｏｗｅｒ　Ｃａｌｉｂｒａｔｉｏｎ）動作に際して記録状態の検出指数目標値（Ｒｔ）を求める場合の動作処理を示したフローチャートである。
【００７５】
ここでは、先ずＯＰＣ制御回路２０における記録パワー／再生パワーの制御機能により、ＰＣＡで記録パワーを段階的に変化させて記録（ステップＳ１００）する処理を行い、この記録動作と同時にメインビーム先方側ピット反射光サンプルホールド（Ｓ／Ｈ）回路３２，メインビーム後方側ピット反射光サンプルホールド（Ｓ／Ｈ）回路３３によりメインビーム先方側記録時ピット反射光レベル（Ｓｐａｂ）２６，メインビーム後方側記録時ピット反射光レベル（Ｓｐｃｄ）２７を測定、或いは必要に応じて記録速度（Ｌｖ）を示す記録線速度又は記録線速度比を測定（ステップＳ１０１）してそれぞれの値を記憶しておくものとした上、記録動作時の波形を再生して各記録パワーに対応するアシンメトリ（或いはβ）をアシンメトリ検出回路１７で測定し、ＯＰＣ動作により光ディスク記録媒体１毎に定められた目標アシンメトリ（或いは目標β）相当の最適記録パワー（Ｐｗ０）を演算して求め、記録パワー（Ｐｗ１）を求めた最適記録パワー（Ｐｗ０）とする動作（ステップＳ１０２）を行い、これにより記録パワー（Ｐｗ１）→最適記録パワー（Ｐｗ０）とする。
【００７６】
ここで扱われる各処理信号は図２に示したタイミングの通りであり、記録動作中に得られるメインビーム先方側記録時ピット反射光レベル（Ｓｐａｂ）２６については、図２中の処理信号Ｂのような波形になり、処理信号Ａに示されるピット生成記録パワー照射時には最初ピットがまだ形成されていないために反射光量が高くなって波形のレベルが高くなっているが、記録パワーを照射し続けて徐々にピットが形成されると反射光量は次第に低くなり、一定時間経過してピット生成が飽和し始めると信号レベルは安定する。このピット生成記録パワー照射時後半の反射光レベルが安定したレベルを図２中の処理信号Ｄのタイミングでメインビーム先方側ピット反射光サンプルホールド（Ｓ／Ｈ）回路３２でサンプルホールドしたレベルがメインビーム先方側記録時ピット反射光レベル（Ｓｐａｂ）２６となる。
【００７７】
同様に、記録動作中に得られるメインビーム後方側記録時ピット反射光レベル（Ｓｐｃｄ）２７については、図２中の処理信号Ｃのような波形になり、処理信号Ａに示されるピット生成記録パワー照射時後半の反射光レベルが安定したレベルを図２中の処理信号Ｄのタイミングでメインビーム後方側ピット反射光サンプルホールド（Ｓ／Ｈ）回路３３でサンプルホールドしたレベルがメインビーム後方側記録時ピット反射光レベル（Ｓｐｃｄ）２７となる。
【００７８】
メインビーム先方側記録時ピット反射光レベル（Ｓｐａｂ）２６，メインビーム後方側記録時ピット反射光レベル（Ｓｐｃｄ）２７を比較するとメインビーム後方側記録時ピット反射光レベル（Ｓｐｃｄ）２７の方がサンプルホールドされるレベルが低くなっているが、これは図１に示されるレーザービームスポットＳで光ディスク記録媒体１のトラック（グルーブトラック）Ｔ上にピットを記録形成して記録マーク（ピット）する際のビーム進行方向の関係でメインビーム先方側記録時ピット反射光レベル（Ｓｐａｂ）２６（領域Ｅ１，Ｅ２に対応）ではまだピット形成されていない反射率の高い部分からの反射光量が多く、それに対してメインビーム後方側記録時ピット反射光レベル（Ｓｐｃｄ）２７では既にピット形成されて反射率の低い部分からの反射光量が多いためである。尚、図１（ａ）のトラック（グルーブトラック）Ｔ上のレーザービームスポットＳと同図（ｂ）のトラック（グルーブトラック）Ｔ上のレーザービームスポットＳとではそれぞれ記録パワーが異なり、上述したように同図（ｂ）の場合の方が同図（ａ）の場合よりも記録パワーが高いときのイメージを示している。
【００７９】
このようにして、ＯＰＣ制御回路２０は、測定した最適記録パワー（Ｐｗ０）に相当するメインビーム先方側記録時ピット反射光レベル（Ｓｐａｂ）２６，メインビーム後方側記録時ピット反射光レベル（Ｓｐｃｄ）２７、及び記録パワー（Ｐｗ１）を取得、或いは必要に応じて記録速度（Ｌｖ）を示す記録線速度又は記録線速度比を取得して記録状態の検出指数（Ｒｍ）を演算（ステップＳ１０３）した後、求めた記録状態の検出指数（Ｒｍ）を記録状態の検出指数目標値（Ｒｔ）として記憶（ステップＳ１０４）し、これにより記録状態の検出指数（Ｒｍ）→記録状態の検出指数目標値（Ｒｔ）とする。因みに、この後は後文の図９で説明する動作処理に移行する。
【００８０】
ところで、同様にＯＰＣ動作に際して記録状態の検出指数目標値（Ｒｔ）を求める場合には図７の動作処理のフローチャートに示されるように他の方法を適用することもできる。
【００８１】
ここでは、先ずＯＰＣ制御回路２０がＯＰＣ動作により最適記録パワー（Ｐｗ０）を演算（ステップＳ１１０）した後、記録パワー（Ｐｗ１）をＯＰＣで求めた最適記録パワー（Ｐｗ０）する（ステップＳ１１１）動作を行い、これにより記録パワー（Ｐｗ１）→最適記録パワー（Ｐｗ０）とする。
【００８２】
この後、記録ＡＰＣ回路１３を介してＰＣＡ（その数フレーム）に最適記録パワー（Ｐｗ１＝Ｐｗ０）で試し書き（ステップＳ１１２）を行い、このときの記録動作と同時にメインビーム先方側ピット反射光サンプルホールド（Ｓ／Ｈ）回路３２，メインビーム後方側ピット反射光サンプルホールド（Ｓ／Ｈ）回路３３によりメインビーム先方側記録時ピット反射光レベル（Ｓｐａｂ）２６，メインビーム後方側記録時ピット反射光レベル（Ｓｐｃｄ）２７を測定、或いは必要に応じて線速度又は線速度比検出回路２９により記録速度（Ｌｖ）を示す記録線速度又は記録線速度比を測定（ステップＳ１１３）する。
【００８３】
そこで、ＯＰＣ制御回路２０では、得られたメインビーム先方側記録時ピット反射光レベル（Ｓｐａｂ）２６，メインビーム後方側記録時ピット反射光レベル（Ｓｐｃｄ）２７、及び記録パワー（Ｐｗ１＝Ｐｗ０）を取得、或いは必要に応じて記録速度（Ｌｖ）を示す記録線速度又は記録線速度比を取得して記録状態の検出指数（Ｒｍ）を演算（ステップＳ１１４）した後、求めた記録状態の検出指数（Ｒｍ）を記録状態の検出指数目標値（Ｒｔ）として記憶（ステップＳ１１５）し、これにより記録状態の検出指数（Ｒｍ）→記録状態の検出指数目標値（Ｒｔ）とする。因みに、この後も後文の図９で説明する動作処理に移行する。
【００８４】
更に、同様にＯＰＣ動作に際して記録状態の検出指数目標値（Ｒｔ）を求める場合には図８の動作処理のフローチャートに示されるように別の方法を適用することもできる。
【００８５】
ここでは、先ずＯＰＣ制御回路２０がＯＰＣ動作により最適記録パワー（Ｐｗ０）を演算（ステップＳ１２０）した後、記録パワー（Ｐｗ１）をＯＰＣで求めた最適記録パワー（Ｐｗ０）する（ステップＳ１２１）動作を行い、これにより記録パワー（Ｐｗ１）→最適記録パワー（Ｐｗ０）とする。
【００８６】
この後、情報記録領域にＯＰＣで求めた最適記録パワー（Ｐｗ１＝Ｐｗ０）で記録を開始（ステップＳ１２２）し、記録開始直後にメインビーム先方側ピット反射光サンプルホールド（Ｓ／Ｈ）回路３２，メインビーム後方側ピット反射光サンプルホールド（Ｓ／Ｈ）回路３３によりメインビーム先方側記録時ピット反射光レベル（Ｓｐａｂ）２６，メインビーム後方側記録時ピット反射光レベル（Ｓｐｃｄ）２７を測定、或いは必要に応じて線速度又は線速度比検出回路２９により記録速度（Ｌｖ）を示す記録線速度又は記録線速度比を測定（ステップＳ１２３）する。
【００８７】
そこで、ＯＰＣ制御回路２０では、得られたメインビーム先方側記録時ピット反射光レベル（Ｓｐａｂ）２６，メインビーム後方側記録時ピット反射光レベル（Ｓｐｃｄ）２７、及び記録パワー（Ｐｗ１＝Ｐｗ０）を取得、或いは必要に応じて記録速度（Ｌｖ）を示す記録線速度又は記録線速度比を取得して記録状態の検出指数（Ｒｍ）を演算（ステップＳ１２４）した後、求めた記録状態の検出指数（Ｒｍ）を記録状態の検出指数目標値（Ｒｔ）として記憶（ステップＳ１２５）し、これにより記録状態の検出指数（Ｒｍ）→記録状態の検出指数目標値（Ｒｔ）とする。因みに、この後も後文の図９で説明する動作処理に移行する。
【００８８】
以上に説明した図６〜図８のフローチャートの何れか一つの動作処理によって、記録状態の検出指数目標値（Ｒｔ）が求められる。
【００８９】
図９は、このようにして記録状態の検出指数目標値（Ｒｔ）を得た以降の情報記録領域への実記録動作処理に関するフローチャートである。
【００９０】
ここでは、先ずＯＰＣ制御回路２０における記録パワー／再生パワーの制御機能により、情報記録領域に既に定められている記録パワー（Ｐｗ１）で情報を記録（ステップＳ１３１）する処理を行い、記録時に図１（ａ）に示されるメインビーム先方側検出信号（ａ＋ｂ），メインビーム後方側検出信号（ｃ＋ｄ）からメインビーム先方側ピット反射光サンプルホールド（Ｓ／Ｈ）回路３２，メインビーム後方側ピット反射光サンプルホールド（Ｓ／Ｈ）回路３３によりメインビーム先方側記録時ピット反射光レベル（Ｓｐａｂ）２６，メインビーム後方側記録時ピット反射光レベル（Ｓｐｃｄ）２７、或いは必要に応じて線速度又は線速度比検出回路２９により記録速度（Ｌｖ）を示す記録線速度又は記録線速度比をディスク回転周期に伴う検出値の変動を吸収するために最低光ディスク記録媒体１を１回転以上測定して平均化（ステップＳ１３２）した値で取得する。
【００９１】
そこで、ＯＰＣ制御回路２０では、平均化されたメインビーム先方側記録時ピット反射光レベル（Ｓｐａｂ）２６，メインビーム後方側記録時ピット反射光レベル（Ｓｐｃｄ）２７、或いは必要に応じて線速度又は線速度比検出回路２９により記録速度（Ｌｖ）を示す記録線速度又は記録線速度比から記録状態の検出指数（Ｒｍ）を演算（ステップＳ１３３）した後、記録状態の検出指数（Ｒｍ）及び記録状態の検出指数目標値（Ｒｔ）の差であるＲｍ−Ｒｔから記録状態の検出誤差（ΔＲｍ＝Ｒｍ−Ｒｔ）を算出（ステップＳ１３４）する。尚、記録状態の検出指数（Ｒｍ）の演算（ステップＳ１３３）では、光ディスク記録媒体１の少なくとも１周分以上測定して平均化算出したものの平均値を使用するが、平均値を算出するためのパラメータについても、光ディスク記録媒体１の少なくとも１周分以上測定して平均化算出したものの値を使用した上で平均値の算出に供するものとする。
【００９２】
次に、ＯＰＣ制御回路２０では、得られた記録状態の検出誤差（ΔＲｍ）及び記録パワー制御閾値（Ｈｓ）を比較し、ΔＲｍ≧Ｈｓであるか否かを判定（ステップＳ１３５）し、この結果により記録状態の検出誤差（ΔＲｍ）が記録パワー制御閾値（Ｈｓ）以上であれば、記録状態を維持するための記録パワーが低いと判断できるため、記録パワー（Ｐｗ１）を記録パワーＳＴＥＰ（ΔＰｗ）分上げて記録パワー（Ｐｗ１）→記録パワー（Ｐｗ１）＋記録パワーＳＴＥＰ幅（ΔＰｗ）とする処理（ステップＳ１３６）を行うが、記録状態の検出誤差（ΔＲｍ）が記録パワー制御閾値（Ｈｓ）以上でなければ、更に記録状態の検出誤差（ΔＲｍ）が記録パワー制御閾負値（−Ｈｓ）以下であるか否かをΔＲｍ≦−Ｈｓであるか否かの判定（ステップＳ１３７）で行い、この結果により記録状態の検出誤差（ΔＲｍ）が記録パワー制御閾負値（−Ｈｓ）以下であれば、記録状態を維持するための記録パワーが高いと判断できるため、記録パワー（Ｐｗ１）を記録パワーＳＴＥＰ（ΔＰｗ）分下げて記録パワー（Ｐｗ１）→記録パワー（Ｐｗ１）−記録パワーＳＴＥＰ幅（ΔＰｗ）とする処理（ステップＳ１３８）を行ってからΔＲｍ≦−Ｈｓでなかった場合（−Ｈｓ＜ΔＲｍ＜＋Ｈｓの場合）と同様にそれ以後は記録パワー（Ｐｗ１）を変化させずに記録終了であるかの判定（ステップＳ１３９）を行う。
【００９３】
この結果、記録終了であれば動作処理を終了するが、記録終了でなければ情報記録が継続されるように情報記録領域に既に定められている記録パワー（Ｐｗ１）で情報を記録（ステップＳ１３１）する処理の前に戻って同様な動作処理を繰り返し行うようにし、こうした手順でランニングＯＰＣを実行する。
【００９４】
この結果、最適記録状態時の記録状態の検出指数（Ｒｍ）を記録状態の検出指数目標値（Ｒｔ）として測定しておき、情報記録領域への実記録中は常に記録状態検出指数（Ｒｍ）を測定し、記録状態の検出指数（Ｒｍ）及び記録状態の検出指数目標値（Ｒｔ）の差が最小になるように記録パワー（Ｐｗ１）を制御することにより、常に安定して最適な記録状態を維持することができ、これにより光ディスク記録媒体１の全面に及んで常に安定して均一な最適なアシンメトリ値（或いはβ値）で記録品質を維持することができる。
【００９５】
以下は、記録状態の検出指数（Ｒｍ）を求めるための演算式を例示する。一例として、単純にメインビーム後方側記録時ピット反射光レベル（Ｓｐｃｄ）２７をメインビーム先方側記録時ピット反射光レベル（Ｓｐａｂ）２６で除算した値を記録状態の検出指数（Ｒｍ）とする場合（即ち、Ｒｍ＝Ｓｐｃｄ／Ｓｐａｂ）が挙げられる。勿論、記録状態の検出指数（Ｒｍ）は、ここでの関係を逆にしてメインビーム先方側記録時ピット反射光レベル（Ｓｐａｂ）２６をメインビーム後方側記録時ピット反射光レベル（Ｓｐｃｄ）２７で除算した値（Ｒｍ＝Ｓｐａｂ／Ｓｐｃｄ）で得ても良い。即ち、記録状態の検出指数（Ｒｍ）は、メインビーム先方側記録時ピット反射光レベル（Ｓｐａｂ）２６及びメインビーム後方側記録時ピット反射光レベル（Ｓｐｃｄ）２７の比の値で得ることができる。
【００９６】
又、記録状態の検出指数（Ｒｍ）は、ＯＰＣ制御回路２０によりランニングＯＰＣの感度を微妙にコントロールするため、メインビーム先方側記録時ピット反射光レベル（Ｓｐａｂ）２６及びメインビーム後方側記録時ピット反射光レベル（Ｓｐｃｄ）２７の比の値（Ｓｐｃｄ／Ｓｐａｂ又はＳｐａｂ／Ｓｐｃｄ）に対する記録パワー（Ｐｗ１）に関してのランニングＯＰＣの感度係数（ｎ）でべき乗した値（Ｐｗ１＾ｎ）との比（Ｓｐｃｄ／Ｓｐａｂ／Ｐｗ１＾ｎ又はＳｐａｂ／Ｓｐｃｄ／Ｐｗ１＾ｎ）の値で得てランニングＯＰＣの感度を微妙に調整することにより、ランニングＯＰＣの効き具合いを微調整することが可能となる。
【００９７】
更に、光ディスク記録媒体１がＺ−ＣＬＶ記録やＣＡＶ記録対応型である場合には、ストラテジによる差や記録速度（Ｌｖ）による差等で記録動作条件下の固有値として得られる補正係数ｋを予め測定して得ておき、この係数ｋを先の記録状態の検出指数（Ｒｍ）を算出するための式に導入することにより、メインビーム先方側記録時ピット反射光レベル（Ｓｐａｂ）２６及びメインビーム後方側記録時ピット反射光レベル（Ｓｐｃｄ）２７の比の値（Ｓｐｃｄ／Ｓｐａｂ又はＳｐａｂ／Ｓｐｃｄ）に対する記録パワー（Ｐｗ１）に関してのランニングＯＰＣの感度係数（ｎ）でべき乗した値（Ｐｗ１＾ｎ）と補正係数ｋとを演算（演算子を＊で示すが、通常は乗算とすれば良い）した値（Ｐｗ１＾ｎ＊ｋ）との比（Ｓｐｃｄ／Ｓｐａｂ／Ｐｗ１＾ｎ＊ｋ又はＳｐａｂ／Ｓｐｃｄ／Ｐｗ１＾ｎ＊ｋ）の値で記録状態の検出指数（Ｒｍ）を算出することが可能となり、こうした場合にも対応できる。
【００９８】
ところで、上述した光ディスク記録媒体用記録装置の構成（特に図５に示した構成）において、基本的な構成はそのままにして一部を他の形態に変形することも可能である。例えばメインビーム先方側ピット反射光サンプルホールド（Ｓ／Ｈ）回路３２やメインビーム後方側ピット反射光サンプルホールド（Ｓ／Ｈ）回路３３の代わりにそれぞれの反射光をＡＤ変換して演算によりメインビーム先方側記録時ピット反射光レベル（Ｓｐａｂ）２６やメインビーム後方側記録時ピット反射光レベル（Ｓｐｃｄ）２７を求める手段を適用できるし、又ＯＰＣ制御回路２０で記録状態の検出指数（Ｒｍ）の演算式中に記録パワーの代わりにそれに相当する信号レべル（例えばフロントモニタ検出信号２４のレベルを例示できる）を使用する手段を適用することもできるので、本発明の光ディスク記録媒体用記録装置は、図５に示した形態のものに限定されない。
【００９９】
【発明の効果】
以上に述べた通り、本発明によれば、光ディスク記録媒体の情報を記録可能なトラックに対してレーザ光を用いて情報を記録する際、記録の記録状態を検出した結果に応じてレーザ光による記録パワーを制御するランニングＯＰＣの実行にあって、情報の記録時にトラックから得られるレーザ光によるメインビームの反射光をトラックの接線方向に複数分割受光して得られる複数種類の反射光レベルを利用してランニングＯＰＣにおける記録状態の制御に供するようにしているので、従来のランニングＯＰＣを実行する場合と比べてより簡単に安定して均一な記録状態となる記録パワーの制御を具現して合理的にランニングＯＰＣを実行し得るようになる。又、本発明では、各反射光レベルを利用して記録状態の検出指数の演算に供するものとし、且つこれらの反射光レベルとして少なくともメインビーム先方側記録時ピット反射光レベル及びメインビーム後方側記録時ピット反射光レベルを含む種類が異なる検出信号を使って記録状態の検出指数を演算するものとした上、このときに各信号を全く同じタイミングでサンプルホールドできるようにしているため、サーボ的な要因によるメインビームのトラッキング方向の変動，レンズの位置変動による受光素子上の反射光スポットにおけるトラック方向の変動，ディスク記録媒体の面内反射率変動，周囲温度によるレーザー波長変動，ディスク反りによるスキュー（Ｓｋｅｗ）変動等、従来のランニングＯＰＣの実行上において悪影響を及ぼす要因をほぼ完全に排除することが可能となり、簡単に安定したランニングＯＰＣを実行することが可能となる。更に、本発明では、光ディスク記録媒体のタイプとしてＣＬＶ記録だけでなく、Ｚ−ＣＬＶ記録やＣＡＶ記録に対応するタイプのものを対象として記録状態の検出指数を演算する場合においても、ストラテジによる差や記録速度による差により記録動作条件下の固有値として得られる補正係数を予め求めておくことで、これを記録状態の検出指数の演算に供するようにしているので、こうした場合にも簡単に対応できるようになる。
【図面の簡単な説明】
【図１】本発明の光ディスク記録媒体用記録方法を適用した一つの実施の形態に係る光ディスク記録媒体用記録装置の要部構成を示した部分拡大図であり、（ａ）は光ディスク記録媒体の情報を記録可能なトラック（グルーブトラック）に対するレーザ光（メインビーム）の照射により得られるレーザビームスポットからの反射光を受光した光ヘッドの複数の受光素子において形成される反射光スポットの配置対応を示した概略図に関するもの，（ｂ）は記録パワーが（ａ）の場合よりも高いときのトラック（グルーブトラック）におけるレーザビームスポットと記録マーク（ピット）との関係を示した拡大図に関するものである。
【図２】図１で説明した光ディスク記録媒体用記録装置に備えられる光ヘッドで得られる情報の記録動作時における処理信号の時間推移に対する波形を光ディスク記録媒体のトラックに対応させて示したタイミングチャートである。
【図３】図１で説明した光ディスク記録媒体用記録装置における光ディスク記録媒体に対する情報の記録状態を示すパラメータβとメインビーム先方側記録時ピット反射光レベル，メインビーム後方側記録時ピット反射光レベルとの関係を記録パワーを変化させて記録を行った場合の実測結果を示した特性図である。
【図４】図３で説明した光ディスク記録媒体に対する情報の記録状態を示すパラメータβとメインビーム先方側記録時ピット反射光レベル，メインビーム後方側記録時ピット反射光レベルの強度比との関係を示した特性図である。
【図５】図１で説明した光ディスク記録媒体用記録装置の全体構成を例示した概略ブロック図である。
【図６】図５で説明した光ディスク記録媒体用記録装置における光ディスク記録媒体のデータ領域への実記録動作前にその所定の試し書き領域であるＰＣＡで最適記録パワーを校正するためのＯＰＣ動作に際して記録状態の検出指数目標値を求める場合の動作処理を示したフローチャートである。
【図７】図５で説明した光ディスク記録媒体用記録装置における光ディスク記録媒体のデータ領域への実記録動作前にその所定の試し書き領域であるＰＣＡで最適記録パワーを校正するためのＯＰＣ動作に際して記録状態の検出指数目標値を求める場合の他の動作処理を示したフローチャートである。
【図８】図５で説明した光ディスク記録媒体用記録装置における光ディスク記録媒体のデータ領域への実記録動作前にその所定の試し書き領域であるＰＣＡで最適記録パワーを校正するためのＯＰＣ動作に際して記録状態の検出指数目標値を求める場合の別の動作処理を示したフローチャートである。
【図９】図５で説明した光ディスク記録媒体用記録装置における図６〜図８の何れか一つにより記録状態の検出指数目標値を得た以降の情報記録領域への実記録動作処理に関するフローチャートである。
【図１０】従来の光ディスク記録媒体に対する情報の記録状態を示すパラメータであるβとジッタとの関係を示したパワーマージン特性である。
【符号の説明】
１　光ディスク記録媒体
２　スピンドルモータ
３　光ヘッド
４　レーザダイオード（ＬＤ）
５　対物レンズ
６　トラック／フォーカス（ＴＲＫ／ＦＣＳ）機構
７　フロントモニタフォトダイオード（ＰＤ）
８　フォトダイオード（ＰＤ）
８ａ〜８ｄ　受光素子
９，１４　電流−電圧変換（ＩＶ）アンプ
１０，１１，１５　サンプルホールド回路（Ｓ／Ｈ）
１２　再生ＡＰＣ回路
１３　記録ＡＰＣ回路
１６　サーボ制御回路
１７　アシンメトリ検出回路
１８　メインビーム反射光先方側信号生成回路
１９　メインビーム反射光後方側信号生成回路
２０　ＯＰＣ制御回路
２１　反射光信号
２２　ターンテーブル
２３　ハーフミラー
２４　フロントモニタ検出信号
２５　サーボ制御用検出信号
２６　メインビーム先方側記録時ピット反射光レベル（Ｓｐａｂ）
２７　メインビーム後方側記録時ピット反射光レベル（Ｓｐｃｄ）
２８　回転制御回路
２９　線速度又は線速度比検出回路
３０　アシンメトリ検出信号
３１　線速度検出信号又は線速度比検出信号
３２　メインビーム先方側ピット反射光サンプルホールド（Ｓ／Ｈ）回路
３３　メインビーム後方側ピット反射光サンプルホールド（Ｓ／Ｈ）回路
３４　反射光検出信号
Ｍ　記録マーク（ビット）
Ｓ　ビームスポット
Ｓ′　反射光スポット
Ｔ　トラック（グルーブトラック）
Ｖ　スペース
【図１】
2004086987.tif 000003
【図２】
2004086987.tif 000004
【図３】
2004086987.tif 000005
【図４】
2004086987.tif 000006
【図５】
2004086987.tif 000007
【図６】
2004086987.tif 000008
【図７】
2004086987.tif 000009
【図８】
2004086987.tif 000010
【図９】
2004086987.tif 000011
【図１０】
2004086987.tif 000012